(57)【要約】【課題】簡単な機器構成でカメラ使用時の発光色の調整と、撮影時のカラーバランス調整を実現することにある。【解決手段】カメラ３の近傍に配置し補助照明として用いる第１の照明装置1と、操作部を照らす第２の照明装置7と、周囲光やおよび照明光を受光する照度センサー４と、第１，第２の照明装置１，７をそれぞれ駆動する駆動回路２，６と、カメラ３からの操作メニュー指定を受けたときに、照度センサー４の出力を駆動回路６から駆動回路２へ切り替える切替手段５とを有する。第１の照明装置1は、複数の光源により、発光色の調整と、カラーバランス調整を実現する。【選択図】      図１
2005181690.tif 000002
【特許請求の範囲】
【請求項１】
外面に配置するカメラと、前記カメラの近傍に配置し補助照明として用いられる第１の照明装置と、操作部を照らす第２の照明装置と、通常の周囲光および前記第１の照明装置の照明光を受光する照度センサーと、前記第１および第２の照明装置をそれぞれ駆動するための第１および第２の駆動回路と、前記カメラからの操作メニュー指定を受けたときに、前記照度センサーの出力を前記第２の駆動回路から前記第１の駆動回路へ切り替える切替手段とを有することを特徴とする携帯機器。
【請求項２】
前記照度センサーは、前記第１の照明装置の近傍に配置したことを特徴とする請求項１記載の携帯機器。
【請求項３】
前記切替手段は、前記照度センサーの内部回路として一体化したことを特徴とする請求項１記載の携帯機器。
【請求項４】
前記第１の照明装置は複数の光源を備え、前記照度センサーが前記第１の照明装置の光源の明るさを感知して前記第１の駆動回路を制御することにより、、前記カメラの補助照明として最適な色となるように前記複数の光源の各色の出力を調整することを特徴とする請求項１記載の携帯機器。
【請求項５】
前記複数の光源は、白色光源と赤色光源、赤色光源と緑色光源と青色光源、シアンとマゼンダと黄色光源、あるいは補色光源のいずれかを用いることを特徴とする請求項４記載の携帯機器。
【請求項６】
前記照度センサーは、前記カメラに内蔵されるセンサーを兼用し、前記第１の照明装置からの照明光を被写体に当てた反射光により前記第１の照明装置の光源の明るさを測定して前記第１の駆動回路を制御し、発光色を調整することを特徴とする請求項１記載の携帯機器。
【発明の詳細な説明】
【技術分野】
【０００１】
本発明は携帯電話機やノートパソコン、あるいはパーソナル・ディジタル・アシスタント（ＰＤＡ）などの携帯機器に関し、特に照明機能を備えた携帯機器に関する。
【背景技術】
【０００２】
従来、携帯電話機などの携帯機器においては、カメラによる撮影のための補助照明装置と、夜間などに操作キーを照らすためのバックライト用照明装置とを備え、それぞれ独立に制御している。
【０００３】
また、デジタルカメラなどの携帯機器においては、パソコンとの通信により照明光特性を得て、撮影シーンに依存しないで、撮影光源の種類に対応したカラーバランスを最適化する調整方法も知られている（特許文献１参照）。
【０００４】
【特許文献１】特開２０００−１１１０８６号公報（第３〜５頁、図１〜図３）
【発明の開示】
【発明が解決しようとする課題】
【０００５】
上述した従来の携帯電話機においては、照明装置に複数色の光源を持たせると、光源の明るさのバラツキにより装置間で発光色に違いが生じるという問題がある。
【０００６】
また、デジタルカメラにおいては、パソコンなどの照明装置の制御機構が複雑になる上、カメラ自体にも通信機能を持たせなければならないという問題がある。
【０００７】
本発明の目的は、簡単な機器構成でカメラ使用時の発光色の調整を実現すると共に、撮影時のカラーバランス調整を実現することのできる携帯機器を提供することにある。
【課題を解決するための手段】
【０００８】
本発明の携帯機器は、外面に配置するカメラと、前記カメラの近傍に配置し補助照明として用いられる第１の照明装置と、操作部を照らす第２の照明装置と、通常の周囲光および前記第１の照明装置の照明光を受光する照度センサーと、前記第１および第２の照明装置をそれぞれ駆動するための第１および第２の駆動回路と、前記カメラからの操作メニュー指定を受けたときに、前記照度センサーの出力を前記第２の駆動回路から前記第１の駆動回路へ切り替える切替手段とを有して構成される。
【０００９】
この照度センサーは、前記第１の照明装置の近傍に配置して形成されたり、また切替手段は、前記照度センサーの内部回路として一体化し手形成することができる。
【００１０】
さらに、第１の照明装置は、複数の光源を備え、前記照度センサーが前記第１の照明装置の光源の明るさを感知して前記第１の駆動回路を制御することにより、、前記カメラの補助照明として最適な色となるように前記複数の光源の各色の出力を調整する。これらの複数の光源は、白色光源と赤色光源、もしくは赤色光源と緑色光源と青色光源、シアンとマゼンダと黄色光源、あるいは補色光源のいずれかを用いることができる。
【００１１】
また、照度センサーは、前記カメラに内蔵されるセンサーを兼用し、前記第１の照明装置からの照明光を被写体に当てた反射光により前記第１の照明装置の光源の明るさを測定して前記第１の駆動回路を制御し、発光色を調整することも可能である。
【発明の効果】
【００１２】
本発明の携帯機器は、照度センサーをカメラの補助照明装置使用時には、その光源の明るさの感知に使用することにより、常に最適な演色性を保ち、光源の経時変化に対しても一定の色バランスを保つことができるという効果がある。
【００１３】
また、本発明は、３色を混色して白色とする場合でも、混色時の発光色を一定に保つことができるという効果がある。
【００１４】
さらに、本発明は、照度センサーに代えてカメラのセンサーを用いる場合でも、照明装置の明るさにより、発光色を調整することができるという効果がある。その場合には、カメラ外部の照度センサーも省くことができるという利点がある。
【発明を実施するための最良の形態】
【００１５】
本発明の携帯機器は、カメラと、そのカメラの補助照明として用いられ且つ複数色の光源を備える第１の照明装置と、操作キーなどを照らす第２の照明装置と、通常の周囲光および前記第１の照明装置の照明光を受光する照度センサーと、前記第１および第２の照明装置をそれぞれ駆動するための第１および第２の駆動回路と、前記カメラからのメニュー指定を受けたときには、前記照度センサーの出力を前記第２の駆動回路から前記第１の駆動回路へ切り替えるための切替手段とを有する。それによって、本発明は、照度センサーを通常の周囲光の測定から前記第１の照明装置の照明光の測定に切り替え、前記第１の照明装置の光源の明るさを感知し、前記カメラの補助照明として最適な色となるように光源の各色の出力を調整するものである。
【００１６】
本発明の携帯機器、例えばカメラを有する携帯電話機等において、通常は周囲の明るさによって表示装置のバックライトや操作キーのバックライトなどの明るさを変化させる為に、周囲の明るさを感知する機能を果たしている照度センサーを、カメラの補助照明装置使用時には、補助照明装置の光源の明るさを感知する為に使用することにあり、特に照度センサーやカメラ等の受光素子により感知した明るさによって、補助照明装置の光源の明るさを変化させ、その光源の発光色を調整するものである。
【００１７】
以下、２〜３の実施例について、図面を参照して具体的に説明する。
【実施例１】
【００１８】
図１は本発明の第１の実施例を示す携帯機器の主要ブロック回路構成図である。図１に示すように、本実施例は、携帯電話機に適用したものであり、被写体を写すために外面に配置されたカメラ３と、カメラの近傍に配置され、連続点灯やフラッシュ機能などの補助照明として用いられる第１の照明装置１と、カメラ３からの指示により第１の照明装置１を駆動制御する第１の駆動回路２とを備えている。この第１の照明装置１は、白色光源１ａおよび赤色光源１ｂとを備えており、合成光としての照明光８を出力する。しかも、この２色の光源を有する第１の照明装置１は、白色光源１ａにより、演色性の低い赤色を赤色光源１ｂによって補うためである。
【００１９】
また、携帯電話機は、これらの他に、上述した照明光８や通常照射されている周囲光（携帯電話機の周囲の光）１１の明るさを測定する照度センサー４と、携帯電話機の内側に設けられた操作部（操作キー）の照明のために照明光９を出力する第２の照明装置７と、この第２の照明装置７を駆動制御するための第２の駆動回路６と、カメラ３からの照度センサー４の出力を第１の駆動回路２あるいは第２の駆動回路６へ切替える切替手段５とを備えている。特に、切替手段５は、カメラ３からの操作メニュー指定を受けたとき、すなわち切替制御信号１０によって制御されたときには、照度センサー４の出力を第２の駆動回路６から第１の駆動回路２へ切り替えるものである。
【００２０】
要するに、この照度センサー４は、通常第２の駆動回路６を介して第２の照明装置７側に接続されており、第２の駆動回路６において明るさが算出され且つ第２の照明装置７による照明が必要であると判断されたときには、照明光９が出力される。しかし、カメラ３による撮影時には、照度センサー４の出力が第１の駆動回路２へ出力するように切替えられる。
【００２１】
このように、本実施例では、赤色光源などの補助照明を用いることにより、カメラ撮影時のカラーバランスを補正することができる。
【００２２】
図２（ａ）,（ｂ）はそれぞれ図１における主要ブロック回路を備えた携帯機器の外側および内側の斜視状態図である。まず、図２（ａ）に示すように、折りたたみ式携帯電話機１２は、外側（背面）にアンテナ１３と、画像を取り込むカメラ３とを配置する他に、カメラ３の近傍に第１の照明装置１と、この第１の照明装置１の極近傍に照度センサー４を設け、カメラ３による撮影を容易にしている。この第１の照明装置１は、上述したとおり、カメラ撮影時の補助照明として被写体を照らす機能を有する。
【００２３】
一方、図２（ｂ）に示すように、折りたたみ式携帯電話機１２の内側には、操作キー１４があり、その操作キー１４の内側（下側）に点線で示した第２の照明装置７を設けている。なお、この第２の照明装置７は、夜間など周囲光が所定の明るさよりも暗い場合に照明する装置であり、通常の携帯電話機に設けられている装置である。かかる折りたたみ式携帯電話機１２において、カメラ３による撮影を行うときは、操作メニューの指定を行う。
【００２４】
上述したとおり、携帯電話機１２は、カメラ３と同じ面に第１の照明装置１及び照度センサー４を有し、この照度センサー４は周囲光１１と第１の照明装置１の光の両方を受光出来る位置に配置される構造である。また、第２の照明装置７は、操作キー１４の下に配置されており、操作キー１４を下から照光する構造となっている。
【００２５】
次に、この携帯電話機１２の具体的な回路動作について説明する。
【００２６】
まず、第１の照明装置１が非使用状態の時は、照度センサー４が周囲の明るさを感知してその明るさの情報を第２の駆動回路６に入力する。この結果、第２の駆動回路６は周囲の明るさに応じて第２の照明装置７の駆動出力を調整する。
【００２７】
ついで、カメラ３が使用状態になり、操作メニュー指定を行うと、切替制御信号１０により切替手段５が切替えられる。これと共に、第１の照明装置１が駆動されると、照度センサー４は第１の照明装置１の白色光源１ａの明るさを感知して第１の駆動回路２に入力するので、第１の駆動回路２は第１の照明装置１の白色光源１ａの明るさに応じて第１の照明装置１の赤色光源１ｂの駆動出力を調整する。
【００２８】
なお、上述した操作メニュー指定は、例えば初めに通常のメニュー画面からカメラを選択する操作、またはそれに相当する操作（特定ボタンの長押しなど）を行って、カメラを起動する。ついで、カメラ起動後のメニュー画面からライトＯＮを選択する操作、またはそれに相当する操作（特定ボタンの長押しなど）を行って、照明装置を駆動させる。かかる手順によって照明装置が駆動されると、制御信号１０により切替手段５が信号の出力先を切り替える。
【００２９】
上述したように、本実施例は、通常周囲の明るさを感知している照度センサーを、カメラの補助照明装置使用時には、その補助照明装置の光源の明るさの感知に使用することにより、部品点数を増やすことなく、照明装置の光源の明るさを測定することが出来るので、携帯電話単体で照明装置の白色光源の明るさに応じた赤色光源の明るさを設定することが出来、白色光源の明るさがばらついても白色と赤色のバランスを一定に保つことが出来る。すなわち、本実施例によれば、白色が強すぎて赤色追加による演色性の改善効果が低かったり、白色が弱すぎて撮影画像が全体的に赤くなってしまったりすることがなく、常に最適な演色性を保つことが出来る。
【００３０】
また、本実施例によれば、光源の劣化や経時変化によって白色と赤色のバランスが崩れた場合でも、バランス調整を行い、一定のバランスを保つことが出来る。
【００３１】
上述した実施例では、第１の照明装置１をカメラ３の補助照明装置としてのみ使用しているが、この照明装置１を別の目的に使用することも可能である。
【実施例２】
【００３２】
図３は本発明の第２の実施例を示す携帯機器の主要ブロック回路構成図である。図３に示すように、本実施例は、第１の照明装置１を携帯電話機のユーザーに着信などを知らせる為の光源ランプとして使用することができる。例えば、第１の照明装置１の光源として、赤色光源１ｃ，緑色光源１ｄ，青色光源１ｅの３色により構成し、この３色を混色させることにより白色光源を実現する場合がある。その他の機器構成については、上述した第１の実施例と同様である。
【００３３】
したがって、本実施例としては、カメラ３が使用状態になり、第１の照明装置１が駆動されると、照度センサー４は照明装置１の赤色光源１ｃ，緑色光源１ｄ，青色光源１ｅの３色それぞれの明るさを感知して、その出力を第１の駆動回路２に切替入力する。この結果、第１の駆動回路２は、３色の光源の出力が所定の比率となるように、３光源それぞれの駆動出力を調整することにより、混色時の発光色を一定に保つ。
【００３４】
また、本実施例では、図示省略した操作部の操作によりカメラ３を介し切替手段５に切替制御信号１０を出力する一方、着信表示を行う場合には、カメラ３を介し第１の駆動回路２から第１の照明装置１の赤色光源１ｃ，緑色光源１ｄ，青色光源１ｅに対し、所定の制御を行う。なお、これらの照明装置１や照度センサー４あるいはカメラ３は、第１の実施例と同様、図２に示したように、機器の背面に配置される。
【００３５】
以上２つの具体例について説明したが、これらの場合は、いずれも照度センサー４を照明装置１の光を受光出来る近傍位置に配置しなければならず、実装位置上の制約がある。
そこで、この制約を解決するために、照度センサー４を通常カメラ３に内蔵されるセンサーで兼用する事が考えられる。
【実施例３】
【００３６】
図４は本発明の第３の実施例を示す携帯機器の主要ブロック回路構成図である。図４に示すように、本実施例は、照明装置１の照明光８を被写体１６に当てると、被写体１６からの反射光１７をカメラ３の内蔵センサー１５により感知し、その明るさを第１の駆動回路２に入力するものである。ここでは、第１の駆動回路２が照明装置１の光源の明るさに応じて駆動出力を変化させ、発光色を調整することが出来る。したがって、本実施例では、照度センサー４や切替手段５を省くことが出来る。
【００３７】
以上、３つの実施例について説明したが、本発明は、この他にも各種の変形が可能である。
【００３８】
例えば、実施例２において、第１の照明装置１に、ＲＧＢ（赤，緑，青）光源を用いたが、これに代えて補色の関係にある光源や、ＣＭＹ（シアン，マゼンダ，イエロー）光源を持つ照明装置を用い、撮影時のカラーバランスの補正を行っても良い。
【産業上の利用可能性】
【００３９】
本発明は、携帯電話機、ＰＨＳやノートパソコンなどの携帯機器にも適用することができる。
【図面の簡単な説明】
【００４０】
【図１】本発明の第１の実施例を示す携帯機器の主要ブロック回路構成図である。
【図２】図１における主要ブロック回路を備えた携帯機器の外側および内側の斜視状態図である。
【図３】本発明の第２の実施例を示す携帯機器の主要ブロック回路構成図である。
【図４】本発明の第３の実施例を示す携帯機器の主要ブロック回路構成図である。
【符号の説明】
【００４１】
１    第１の照明装置
１ａ〜１ｅ    光源
２,６    駆動回路
３    カメラ
４    照度センサー
５    切替手段
７    第２の照明装置
８，９    照明光
１０    切替制御信号
１１    周囲光
１２    携帯電話機
１３    アンテナ
１４    操作キー
１５    センサー
１６    被写体
１７    反射光
【図１】
2005181690.tif 000003
【図２】
2005181690.tif 000004
【図３】
2005181690.tif 000005
【図４】
2005181690.tif 000006